(57)【要約】本発明は、無線周波数タグ検出器（１０１）により、無線周波数タグが取付けられたアイテム（１）を識別する方法及びシステムに係わり、無線周波数コンタクトが、タグと検出器との間に確立され、アイテムに関連付けられタグに格納される情報は、検出器により受信される。本発明は、タグにより格納されるデータは、一意のアイテム識別子に対してマッピングされるという考えに基づいている。この一意のアイテム識別子が次に検出器のユーザに提示される。本発明を使用することにより、アイテムに小さいタグを取付けることによりそのアイテムを識別することが可能となる。このことは、タグが取付けられるアイテムが非常に小さい場合に特に有利であり、というのは、そのようなアイテム自体又はアイテムのケース上に情報を書込みすることは実際には困難だからである。
2006503362.tif 000002
【特許請求の範囲】
【請求項１】
無線周波数タグ検出器により、無線周波数タグが取付けられたアイテムを識別する方法において、前記タグと前記検出器との間に無線周波数コンタクトが確立され、前記アイテムを識別し前記タグにより格納される情報は、前記検出器により受信される方法であって、
一意のアイテム識別子を、前記タグにより格納され前記検出器により受信される前記情報に対してマッピングする段階と、
前記一意のアイテム識別子を、前記検出器のユーザに提示する段階と、
を有することを特徴とする方法。
【請求項２】
前記一意のアイテム識別子は、オーディオ信号を有する請求項１記載の方法。
【請求項３】
前記一意のアイテム識別子は、表示可能な信号を有する請求項１記載の方法。
【請求項４】
各アイテムを識別する前記情報のリストを生成する段階と、
各アイテムに取付けられた前記タグにより格納される前記情報に対応する前記一意のアイテム識別子をユーザに提示する段階と、
を更に有する請求項１記載の方法。
【請求項５】
無線周波数タグが取付けられたアイテムを識別するシステムにおいて、前記タグと無線周波数コンタクトを確立し、前記アイテムを識別する前記タグにより格納される情報を受信するよう構成される無線周波数タグ検出器を有するシステムであって、
一意のアイテム識別子を、前記タグにより格納され前記検出器により受信される前記情報に対してマッピングするよう構成される第１の手段と、
前記一意のアイテム識別子を、前記検出器のユーザに提示するよう構成される第２の手段と、
を有することを特徴とするシステム。
【請求項６】
前記一意のアイテム識別子は、オーディオ信号を有する請求項５記載のシステム。
【請求項７】
前記一意のアイテム識別子は、表示可能な信号を有する請求項５記載のシステム。
【請求項８】
前記無線周波数検出器、前記第１の手段、及び前記第２の手段は、前記アイテムが収容可能なケース内に含まれる請求項５記載のシステム。
【請求項９】
前記アイテムを収容可能な複数のスロットを有するホルダを有し、
各スロットは、前記無線周波数検出器と、識別され且つ前記第２の手段により提示されるアイテムを前記第１の手段に示す選択手段とを有し、
前記ホルダは、前記第１の手段及び前記第２の手段を有する表示装置が取付けられる請求項５記載のシステム。
【請求項１０】
各アイテムを識別する前記情報のリストを生成し、各アイテムに取付けられた前記タグにより格納される前記情報に対応する前記一意のアイテム識別子をユーザに提示するよう構成される第３の手段を更に有する請求項５記載のシステム。
【発明の詳細な説明】
【技術分野】
【０００１】
本発明は、無線周波数タグ検出器により無線周波数タグが取付けられたアイテムを識別する方法に係り、この方法において、無線周波数コンタクトが、タグと検出器との間に確立され、アイテムを識別し、タグにより格納される情報は、検出器により受信される。本発明は更に、無線周波数タグが取付けられたアイテムを識別するシステムに係わり、このシステムは、タグと無線周波数コンタクトを確立し、アイテムを識別するタグにより格納される情報を受信するよう構成される無線周波数タグ検出器を有する。
【背景技術】
【０００２】
光ディスク、本、ＤＶＤ等のアイテムは、通常、そのアイテム自体又はそのアイテムのカバー又は背面を調べることにより識別される。タイトル、著者、アーティスト、又は他の識別基準といった識別子が、通常はアイテム上に印刷又は書込みされる。
【０００３】
光ディスク及び他の記憶媒体といったアイテムは、ますますコンパクト化しているので、それらのアイテムに、判読する又は読出しするのに適している視覚的識別を設けることが困難となってきている。光ディスク又はユーザにより記録可能な他の媒体は、ペンを用いて書込みするには小さすぎるであろう。この問題を解決するために、アイテムは、電子的にタグ付けされることが可能であり、即ち、無線周波数（ＲＦ）を放射可能なチップが、アイテムに取付けられたタグに埋込みされることが可能である。チップは、そのアイテムに関連付けられるデータを格納し、ＲＦタグ検出器を使用してそのタグを走査し、情報が検出される。格納されたデータは、容易に変更可能である。通常は、検出器は、タグに方向付けられ、検出器は、タグにより受信される特定の周波数の走査信号を送信し、信号を受信すると、タグに埋込みされるチップが、検出器に応答信号を送信する。応答信号は、特定のタグが付けられたアイテムの識別のための何らかのタイプの識別子を有する。検出器は、応答信号を復調し、識別子を得る。これらのＲＦタグを用いることにより、アイテムが非常に小さい場合でも、タグも非常に小さく作ることが可能なので、アイテムに情報を関連付けることが可能である。
【０００４】
複数のＲＦタグ付き製品の中にある特定のＲＦタグ付き製品を見つけるシステム及び方法は、米国特許第６，３５４，４９３号に示される。この文書は、タグ付きアイテムに関連する特定の検索基準がタグ検出器に入力されるシステムを開示する。検出器は、多数のタグ付きアイテムを走査し、その基準が満たされると、即ち、アイテムのタグが検索基準に適合すると、プロセッサは、検索基準に合ったアイテムがある場所をユーザに示す可聴音を有するフィードバック信号を生成する。しかし、このシステムでは、検索基準が、意味のある走査動作が行われる前に入力されなければならないので、システムのユーザは、見つけるアイテムのタイプについて幾らかの知識を有さなければならない。
【発明の開示】
【発明が解決しようとする課題】
【０００５】
本発明は、ＲＦタグが取付けられたアイテムの任意の知識を必要とすることなくＲＦタグ付きアイテムの識別を与えることに関する問題を解決することを目的とする。
【課題を解決するための手段】
【０００６】
この目的は、請求項１に記載される、無線周波数タグ検出器により無線周波数タグが取付けられたアイテムを識別する方法であって、タグと検出器との間に無線周波数コンタクトが確立され、アイテムを識別しタグにより格納される情報は、検出器により受信される方法と、請求項５に記載される、無線周波数タグが取付けられたアイテムを識別するシステムであって、システムは、タグと無線周波数コンタクトを確立し、アイテムを識別するタグにより格納される情報を受信するよう構成される無線周波数タグ検出器を有するシステムとによって達成される。
【０００７】
本発明の第１の面では、タグにより格納され検出器により受信される情報に対して一意のアイテム識別子をマッピングする方法が与えられる。次に、この一意のアイテム識別子は、検出器のユーザに提示される。
【０００８】
本発明の第２の面では、本発明のシステムは、タグにより格納され検出器により受信される情報に対して一意のアイテム識別子をマッピングするよう構成される第１の手段を有する。本発明のシステムは更に、一意のアイテム識別子を、検出器のユーザに提示するよう構成される第２の手段を有する。
【０００９】
本発明は、ＲＦタグがアイテムに取付けられるという考えに基づいている。タグは、タグが取付けられたアイテムを識別するデータを有する。ＲＦタグ検出器は、アイテムタグとＲＦコンタクトを確立するよう動作される。コンタクトが確立されると、検出器は、タグにより格納されるデータを受信する。タグにより格納されるデータは、一意のアイテム識別子に対してマッピングされる。この一意のアイテム識別子は、次に、検出器のユーザに提示される。
【００１０】
本発明を使用することにより、アイテムに小さいタグを取付けることにより、そのアイテムを識別することが可能となる。このことは、タグが取付けられるアイテムが非常に小さい場合に特に有利であり、というのは、アイテムが非常に小さい場合は、アイテム自体又はアイテムのケース上に情報を書込むのは現実的に困難だからである。アイテムは一般的に、音楽／ビデオ媒体を有するが、メモリスティック、フラッシュカード等も有し得る。現在では、フィリップス社からのブルーレーザ技術に基づいた小さい形状係数光学部品といった光記憶媒体が、適切にタグが付けられ得るアイテムであるが、本、ＣＤ、ＤＶＤ等といった任意の種類のアイテムもタグが付けられることが可能である。各タグ付きアイテムは、例えば、ＩＤ番号といったタグ内に格納される情報が、一意のアイテム識別子にマッピングされることにより一意に識別されることが可能である。このマッピングは、ＲＦ検出器内で行われることが可能であり、その場合、一意のアイテム識別子は、その検出器内に格納される。或いは、一意のアイテム識別子は、コンピュータ、ＰＤＡ等といった検出器に接続された処理手段に関連付けられるメモリ内に格納されることも可能である。その場合、実際のマッピングは、プロセッサ内で行われる。処理手段は、有線又はＲＦを介して検出器に接続されることが可能である。
【００１１】
本発明の１つの実施例では、ＲＦタグ検出器には、スピーカ手段が取付けられ、タグ情報をオーディオ信号の形の一意のアイテム識別子に対してマッピングする。このオーディオ信号は、検出器のスピーカを介してユーザに提示される。検出器がコンピュータに接続される場合は、マッピングは、コンピュータ内で行われ、そして、コンピュータのスピーカを使用することが可能である。このことは、検出器は、システムがオーディオアイテム識別子を可能にするために、必ずしもスピーカが具備される必要はないということを示唆する。オーディオ出力は、タグ付きアイテムに曲又はメロディを関連付けることが可能であるので有利である。例えば、ユーザが、ビートルズにより演奏された音楽を有する光ディスクのタグを走査すると、ビートルズの「Strawberry Fields Forever」を、所望される場合には、スピーカを介して聴くことができる。これは、更に、ユーザが視覚障害を有する場合も特に有利である。
【００１２】
本発明の別の実施例では、ＲＦ検出器には、表示手段が取付けられ、タグ情報を表示可能な信号の形の一意のアイテム識別に対してマッピングする。この表示可能な信号は、検出器の表示手段を介してユーザに提示される。検出器がコンピュータに接続される場合は、マッピングは、コンピュータ内で行われ、そして、コンピュータのスクリーンを使用することが可能である。このことは、検出器は、システムが視覚的アイテム識別子を可能にするために、必ずしも表示手段が具備される必要はないということを示唆する。視覚的出力は、タグ付きアイテムに静止画像又は動画像を関連付けることが可能であるので有利である。例えば、ユーザが、エルビスの材料を含む光ディスク、ＤＶＤ、又は本のタグを走査すると、エルビスの写真を表示することができる。これは、更に、ユーザが聴覚障害を有する場合に特に有利である。
【発明を実施するための最良の形態】
【００１３】
本発明の実施例の詳細な説明を、添付図面を参照しながら与える。
【００１４】
図１は、本発明のアイテム識別システムの実施例を示す。多数のＲＦタグ付きアイテム１、２、３、４・・・、９８、９９は、アイテムを通り過ぎるよう動かすことによりＲＦ検出器１０１により走査される。検出器は、走査信号を送信し、ＲＦコンタクトが、タグ付きアイテムと確立される。タグに埋込みされるチップは、応答信号を検出器に送信する。応答信号は、アイテムに関連付けられる何らかの種類の情報を有する。この情報は、例えば、その最も簡単な形では、単なる数字、例えば、「１２」である。ＲＦ検出器には、この特定の番号に対応する一意のアイテム識別子が格納されている。検出器にスピーカが具備される場合は、図１において検出器がアイテム１を読出しする場合がそうであるように、オーディオ出力を供給することが可能である。「１２」がタグから読出しされたと仮定すると、ＲＦ検出器は、この数を、一意の識別子にマッピングする。この一意の識別子は、例えば、アイテム１がエルヴィスの材料を有する場合に、エルヴィスの曲であることが可能である。この曲は、検出器のユーザに、検出器のスピーカを介して与えられる。
【００１５】
アイテムを走査し続けて、検出器が、アイテム２とのコンタクトを確立すると、別の番号、例えば、「２３」が読出しされる。ＲＦ検出器には、「２３」に対応する一意のアイテム識別子が格納される。数「２３」は、対応する一意の識別子にマッピングされる。ＲＦ検出器が、表示手段を有する場合、図１において検出器がアイテム２を読出しした場合にそうであるように、検出器は、視覚的な出力を与えることが可能である。アイテム２が、電子地図帳を有するＣＤであると仮定すると、アイテム２に取付けられたタグに対応する一意の識別子は、地球儀のグラフィック表現を有し得る。この表現は、表示手段を介してユーザに与えられ、ユーザは、アイテム２を識別することができる。
【００１６】
ＲＦ検出器１０１が格納された一意のアイテム識別子を有するという事実は、検出器が、何らかのタイプのインタフェースを有することを示唆する。このインタフェースを介して、一意の識別子が格納される。当業者は、このインタフェースが、例えば、ＲＦ、ＩＲ、又は有線インタフェースであり得ることを認識するであろう。
【００１７】
タグについて、タグは、必ずしもアイテム又はアイテムの入れ物に取付けられる必要はなく、アイテム自体に、即ち、チップ−イン−ディスク（chip-in-disc）原理に従うと埋込みされることも可能である。
【００１８】
図２は、本発明のアイテム識別システムの別の実施例を示す。図１と同様に、多数のＲＦタグ付きアイテム１、２、３、４・・・、９８、９９は、アイテムを通り過ぎるよう動かすことによりＲＦ検出器１０１により検出される。検出器は、走査信号を送信し、ＲＦコンタクトが、タグ付きアイテムと確立される。タグに埋込みされるチップは、応答信号を検出器に送信する。しかし、この実施例では、ＲＦ検出器には、スピーカ又は表示手段が具備されず、これにより、検出器はあまり複雑でなく、また、製造するのにあまり高価ではなくなる。その代わりに、検出器は、例えば、ＲＦ、ＩＲ、又は有線インタフェースを介して、表現手段として機能するコンピュータ１０２に接続される。この実施例では、ＲＦ検出器は、任意のタグ付きアイテム１、２、３、４・・・、９８、９９とコンピュータ１０２間のインタフェースとして作用するに過ぎず、また、タグ情報の一意の識別子への実際のマッピングは、コンピュータ内で行われる。コンピュータは、計算機能を有する移動電話機、ＰＤＡ等からなることを理解するものとする。
【００１９】
検出器１０１でアイテム１、２、・・・、９８、９９を走査するとき、各アイテムに取付けられたタグにより格納された情報を有するリストが生成され得る。各タグにより格納された情報は、対応する一意の識別子に対してマッピングされ、識別されたアイテムを有するリストは、コンピュータ１０２上でユーザに与えられ得る。このことは、当然ながら、図１におけるように、検出器１０１自体がアイテムを表示する場合でも可能である。このことは、各アイテムを走査する検出器の迅速な走査を可能にし、そして、後から、アイテムが連続して提示することが可能となる。
【００２０】
図３は、本発明のアイテム識別システムの更なる実施例を示す。この実施例では、多数のＲＦタグ付きアイテム１、２、３、４・・・は、ホルダ１０３内に置かれ、このホルダは、表示手段１０４と共に構成される。各アイテムは、ホルダ内の別個のスロット内に置かれる。各スロットには、ＲＦ検出器と、例えば、特定のスロットを選択するための押しボタン１０５といった何らかの選択手段が具備される。特定のスロットのボタン１０５が押されると、そのスロット内に収容されるアイテム４に対応するタグ情報が、表示装置１０４に転送され、表示装置１０４には、メモリ及びプロセッサが具備される。上述した実施例におけるように、タグに含まれる情報は、プロセッサによって、メモリ内に格納された一意のアイテム識別子にマッピングされる。電子地図帳を有するＣＤが、押されたボタンに対応するスロット内に収容されると仮定する。このアイテム４に対応する一意の識別子は、地球儀のグラフィック表現を有し得る。この表現は、表示装置１０４を介してユーザに提示され、そして、ユーザは、選択されたアイテム４を識別することが可能である。
【００２１】
図４は、本発明のアイテム識別システムの更なる実施例を示す。この実施例では、ＲＦタグ付きアイテム１は、ケース１０６内に入れられ、このケースには、ＲＦ検出器が取付けられる。ケースには更に、メモリ及びプロセッサを有する表示手段１０７が取付けられる。アイテム１が、ケース１０６の中に入れられると、ＲＦコンタクトが、ＲＦ検出器とタグとの間に確立される。タグ情報は、表示装置１０７に転送される。上述した実施例と同様に、タグに含まれる情報は、プロセッサにより、メモリ内に格納された一意のアイテム識別子にマッピングされる。電子地図帳を有するＣＤがケース内に入れられたと仮定すると、このアイテム１に対応する一意の識別子は、地球儀のグラフィック表現を有し得る。この表現は、表示装置１０７を介してユーザに提示され、そして、ユーザは、アイテム１を識別することが可能である。
【００２２】
本発明は、本発明の特定の例示的な実施例を参照しながら説明したが、当業者には、多くの様々な変更、修正等が明らかであろう。記載した実施例は、従って、特許請求の範囲により画成される本発明の範囲を制限するものではない。
【図面の簡単な説明】
【００２３】
【図１】ＲＦ検出器には表現手段が取付けられた本発明のアイテム識別システムの１つの実施例を示す図である。
【図２】ＲＦ検出器は、表現手段として機能するコンピュータに接続された本発明のアイテム識別システムの別の実施例を示す図である。
【図３】アイテムホルダにはアイテム識別の表現のための表示装置が取付けられた本発明のアイテム識別システムの更に別の実施例を示す図である。
【図４】ケースにはアイテム識別の表現のための表示装置が取付けられた本発明のアイテム識別システムの更なる実施例を示す図である。
【図１】
2006503362.tif 000003
【図２】
2006503362.tif 000004
【図３】
2006503362.tif 000005
【図４】
2006503362.tif 000006
【手続補正書】
【提出日】平成17年5月13日(2005.5.13)
【手続補正１】
【補正対象書類名】特許請求の範囲
【補正対象項目名】全文
【補正方法】変更
【補正の内容】
【特許請求の範囲】
【請求項１】
無線周波数タグ検出器により、コンテンツが格納され無線周波数タグが取付けられた記憶媒体を識別する方法において、前記タグと前記検出器との間に無線周波数コンタクトが確立され、前記媒体を識別し前記タグにより格納される情報は、前記検出器により受信される方法であって、
一意の媒体識別子として前記コンテンツを表す信号を、前記タグにより格納され前記検出器により受信される前記情報に対してマッピングする段階と、
前記一意の媒体識別子を、前記検出器のユーザに提示する段階と、
を有することを特徴とする方法。
【請求項２】
前記信号は、オーディオ信号を有する請求項１記載の方法。
【請求項３】
前記信号は、表示可能な信号を有する請求項１記載の方法。
【請求項４】
前記検出器と、複数の記憶媒体に取付けられた複数のタグとの間に無線周波数コンタクトを確立する段階と、
各媒体を識別する前記情報のリストを生成する段階と、
各媒体に取付けられた前記タグにより格納される前記情報に対応する前記一意の媒体識別子をユーザに提示する段階と、
を更に有する請求項１記載の方法。
【請求項５】
コンテンツが格納され無線周波数タグが取付けられた記憶媒体を識別するシステムにおいて、前記タグと無線周波数コンタクトを確立し、前記媒体を識別する前記タグにより格納される情報を受信するよう構成される無線周波数タグ検出器を有するシステムであって、
一意の媒体識別子として前記コンテンツを表す信号を、前記タグにより格納され前記検出器により受信される前記情報に対してマッピングするよう構成される第１の手段と、
前記一意の媒体識別子を、前記検出器のユーザに提示するよう構成される第２の手段と、
を有することを特徴とするシステム。
【請求項６】
前記信号は、オーディオ信号を有する請求項５記載のシステム。
【請求項７】
前記信号は、表示可能な信号を有する請求項５記載のシステム。
【請求項８】
前記無線周波数検出器、前記第１の手段、及び前記第２の手段は、前記媒体が収容可能なケース内に含まれる請求項５記載のシステム。
【請求項９】
前記記憶媒体を収容可能な複数のスロットを有するホルダを有し、
各スロットは、前記無線周波数検出器と、識別され且つ前記第２の手段により提示される媒体を前記第１の手段に示す選択手段とを有し、
前記ホルダは、前記第１の手段及び前記第２の手段を有する表示装置が取付けられる請求項５記載のシステム。
【請求項１０】
前記検出器と複数の記憶媒体に取付けられた複数のタグとの間に無線周波数コンタクトを確立する第３の手段と、
各媒体を識別する前記情報のリストを生成し、各媒体に取付けられた前記タグにより格納される前記情報に対応する前記一意の媒体識別子をユーザに提示するよう構成される第４の手段と、
を更に有する請求項５記載のシステム。
【国際調査報告】
2006503362.tif 000007
2006503362.tif 000008